(57)【要約】【課題】音圧の保持・伝達性能の向上、レイアウトの自由度の向上が図れる携帯端末を提供する。【解決手段】筐体７ａの音声通過孔１１と筐体７ａ内に配置するスピーカ１０の音出部１０ａとの間にダクト１２を有し、ダクト１２は音出部側開口１８の断面積に対して音声通過孔側開口１９の断面積が狭くなっている。【選択図】図１
2006115272.tif 000002
【特許請求の範囲】
【請求項１】
筐体の音声通過孔と筐体内に配置するスピーカの音出部との間にダクトを有し、該ダクトは音出部側開口の断面積に対して音声通過孔側開口の断面積が狭いことを特徴とする携帯端末。
【請求項２】
前記ダクトは音出部側開口より音声通過孔側開口に向かい断面積が漸減し、前記ダクトを構成する少なくとも１つの壁面は曲面部を形成していることを特徴とする請求項１記載の携帯端末。
【請求項３】
前記スピーカの音出部の法線に対して、前記ダクトの音出部側開口中心と音声通過孔側開口中心とを結ぶダクト中心線が傾斜することを特徴とする請求項１又は２記載の携帯端末。
【請求項４】
前記スピーカの法線と直交する面に対して、前記ダクトの音声通過孔側開口と前記音声通過孔の少なくとも１つが傾斜することを特徴とする請求項１〜３のいずれか１つに記載の携帯端末。
【請求項５】
前記ダクトの断面積のうち最小断面積より音声通過孔側開口の開口表面積が大きいことを特徴とする請求項１〜４のいずれか１つに記載の携帯端末。
【請求項６】
前記ダクトは前記スピーカを筐体に固定するブラケットであることを特徴とする請求項１〜５のいずれか１つに記載の携帯端末。
【請求項７】
前記ダクトの曲面部に対応する曲面部を筐体に備えたことを特徴とする請求項１〜６のいずれか１つに記載の携帯端末。
【請求項８】
前記ダクトの曲面部の外方に、前記筐体と他方の筐体とを結合する結合部を有することを特徴とする請求項１〜７のいずれか１つに記載の携帯端末。
【請求項９】
前記ダクトと音声通過孔側筐体との間には第１弾性体を配置したことを特徴とする請求項１〜８のいずれか１つに記載の携帯端末。
【請求項１０】
前記ダクトとスピーカとの間には第２弾性体を配置したことを特徴とする請求項１〜９のいずれか１つに記載の携帯端末。
【請求項１１】
前記スピーカと前記音声通過孔側筐体に対向する筐体との間には第３弾性体を配置したことを特徴とする請求項１〜１０のいずれか１つに記載の携帯端末。
【請求項１２】
前記第１、第２、第３弾性体の少なくとも１つを変形させたことを特徴とする請求項１〜１１のいずれか１つに記載の携帯端末。
【請求項１３】
前記ダクトは導線をガイドするガイド部を有することを特徴とする請求項１〜１２のいずれか１つに記載の携帯端末。
【請求項１４】
前記ダクトと前記筐体間の空間に導線を配置することを特徴とする請求項１〜１３のいずれか１つに記載の携帯端末。
【請求項１５】
前記導線は前記結合部を通して前記筐体と他方の筐体間を渡ることを特徴とする請求項１〜１４のいずれか１つに記載の携帯端末。
【発明の詳細な説明】
【技術分野】
【０００１】
本発明は、携帯端末に関するものである。
【背景技術】
【０００２】
従来より、携帯電話、ＰＨＳ（簡易型携帯電話）等の小型の携帯端末が用いられており、該携帯端末はその一例を図９に示す如く、携帯端末本体１を形成するフロントケース１ａ（筐体）の前面側に、上から順に、通話時にスピーカ２からの音声が発せられる音声通過孔３と、文字や数字等が表示される表示部４と、電話番号の入力や各種モードの設定等を行うための操作キー５と、通話時に音声を捉えるマイクロホン用孔６とを配設してなる構成を有している。前記フロントケース１ａ（筐体）の裏面にはリアケース１ｂ（筐体）が組み付けられており、前記フロントケース１ａとリアケース１ｂとの間には、前記スピーカ２や表示部４の液晶ディスプレイ及びプリント基板等の各種部品が組み込まれている。
【０００３】
図９に示されるような携帯端末においては、操作キー５を押すことによって電話番号の入力や各種モードの設定等が行われ、その内容が表示部４に表示される一方、通話時には、スピーカ２からの音声が音声通過孔３を介して発せられると共に、話手の音声がマイクロホン用孔６を介して図示していないマイクロホンに捉えられる。
【０００４】
このような携帯端末において前記スピーカを取り付けるための従来の構造としては、筐体とネジでスピーカを挟み込んで固定する方法、筐体とブラケットでスピーカを挟み込んで、ネジ、爪等で固定する方法、或いはスピーカの音出部と筐体の音声通過孔との間にゴムリング等を配置して気密性を高めたもの等があるが、スピーカの音出部と筐体の音声通過孔との距離が離れてしまうレイアウトにおいては、このような構造の適用が困難であった。
【０００５】
そこで、特許出願人は特許文献１に示される構造の携帯機器を先に出願した。特許文献１では、スピーカにダクトを取り付け、スピーカをキャップ及び弾性部材で挟み込む構造により気密性を向上させている。
【特許文献１】特開２００１−１１９７７３号公報
【発明の開示】
【発明が解決しようとする課題】
【０００６】
しかしながら、特許文献１ではダクトの形状が略一定断面となっているために、音圧の保持・伝達の性能、レイアウトの自由度の面では更なる改良が望まれていた。
【０００７】
本発明は、斯かる実情に鑑みてなしたもので、音圧の保持・伝達性能の向上、レイアウトの自由度の向上が図れる携帯端末を提供しようとするものである。
【課題を解決するための手段】
【０００８】
本発明の携帯端末は、筐体の音声通過孔と筐体内に配置するスピーカの音出部との間にダクトを有し、該ダクトは音出部側開口の断面積に対して音声通過孔側開口の断面積が狭いことを特徴とする。
【０００９】
上記携帯端末において、前記ダクトは音出部側開口より音声通過孔側開口に向かい断面積が漸減し、前記ダクトを構成する少なくとも１つの壁面は曲面部を形成していることは好ましい。
【００１０】
又、上記携帯端末において、前記スピーカの音出部の法線に対して、前記ダクトの音出部側開口中心と音声通過孔側開口中心とを結ぶダクト中心線が傾斜していてもよい。
【００１１】
又、上記携帯端末において、前記スピーカの法線と直交する面に対して、前記ダクトの音声通過孔側開口と前記音声通過孔の少なくとも１つが傾斜していてもよい。
【００１２】
又、上記携帯端末において、前記ダクトの断面積のうち最小断面積より音声通過孔側開口の開口表面積が大きいことは好ましい。
【００１３】
又、上記携帯端末において、前記ダクトは前記スピーカを筐体に固定するブラケットであることは好ましい。
【００１４】
又、上記携帯端末において、前記ダクトの曲面部に対応する曲面部を筐体に備えることは好ましい。
【００１５】
又、上記携帯端末において、前記ダクトの曲面部の外方に、前記筐体と他方の筐体を結合する結合部を有することは好ましい。
【００１６】
又、上記携帯端末において、前記ダクトと音声通過孔側筐体との間に第１弾性体を配置することは好ましい。
【００１７】
又、上記携帯端末において、前記ダクトとスピーカとの間に第２弾性体を配置することは好ましい。
【００１８】
又、上記携帯端末において、前記スピーカと前記音声通過孔側筐体に対向する筐体との間に第３弾性体を配置することは好ましい。
【００１９】
又、上記携帯端末において、前記第１、第２、第３弾性体の少なくとも１つを変形させたことは好ましい。
【００２０】
又、上記携帯端末において、前記ダクトが導線をガイドするガイド部を有することは好ましい。
【００２１】
又、上記携帯端末において、前記ダクトと前記筐体間の空間に導線を配置することは好ましい。
【００２２】
又、上記携帯端末において、前記導線が前記結合部を通して前記筐体と他方の筐体間を渡ることは好ましい。
【発明の効果】
【００２３】
本発明の携帯端末によれば、ダクトの断面積が音出部側開口から音声通過孔側開口に向かって漸減しているため、良好な音圧の保持・伝達性能が確保できる効果がある。
【００２４】
更に、ダクトの断面積が音声通過孔側開口に向かって漸減することと、ダクトをスピーカに対して傾斜して設けることにより、スピーカと音声通過孔の位置が変化する種々のレイアウトに適用できる効果がある。
【発明を実施するための最良の形態】
【００２５】
以下、本発明の実施の形態を図示例と共に説明する。
【００２６】
図１〜図３は本発明を実施する形態の一例であって、表示側筐体７とキー側筐体８の端部同士が結合部９で回動可能に接続された折畳型携帯電話の場合を示している。表示側筐体７は折畳んだ際に内側になる筐体７ａと外側となる筐体７ｂとから構成されており、前記表示側筐体７の前記結合部９側端部はキー側筐体８の端部よりも張り出している。上記表示側筐体７の張り出し部内における外側の筐体７ｂ側には警告音、着メロ、音楽その他の音声を発するスピーカ１０が収容され、該スピーカ１０から発せられる音声を内側の筐体７ａの張り出し部７ａ’に形成した音声通過孔１１へ導くためのダクト１２が、前記スピーカ１０と音声通過孔１１との間に配置されている。図１中、１３は表示側筐体７の筐体７ａに備えられる表示部であり、該表示部１３の内部には液晶ディスプレイ１４が備えられている。
【００２７】
前記結合部９は、図２に示す如く、表示側筐体７の左右に備えた表示側結合部９ａ，９ａ’の一方の表示側結合部９ａと、キー側筐体８の左右に備えたキー側結合部９ｂ，９ｂ’の一方のキー側結合部９ｂとを片持ちで連結する構造になっており、前記他方の表示側結合部９ａ’は導線孔３３のみのダミーになっており、該表示側結合部９ａ’の導線孔３３に後述する導線を通してキー側結合部９ｂ’からキー側筐体８に導線を導くようになっている。
【００２８】
上記折畳型携帯電話は、図１のように折畳んだ状態で机上に設置すると、筐体７ａの張り出し部７ａ’と机との間に間隔が形成され、これにより、前記音声通過孔１１から発せられる警告音、着メロ等の音声は前記間隔を通して外部に伝えられるので外部にて音声を聞くことができる。又、図１の状態から図３に示す如く、結合部９を中心に表示側筐体７を上方に開いた状態にすると、前記音声通過孔１１が上側を向くようになるので、この状態でも音声通過孔１１からの音声を聞くことができる。尚、図３中、１５は表示側筐体７に備えた通話用のスピーカ用孔、１６はキー側筐体８に備えた通話用のマイクロホン用孔、１７は操作キーである。
【００２９】
上記折畳型携帯電話では、前記したように折畳み時も、又開いた時も音声を聞くことができるようにする為に、図１に示すようにスピーカ１０と結合部９を表示側筐体７の同一側端部に配置する必要があり、この為にスピーカ１０と結合部９が干渉する問題がある。
【００３０】
この干渉の問題のために、図２に示す如く、スピーカ１０の下側に表示側結合部９ａを入り込ませてラップした配置になるようにしている。このため、音声通過孔１１は、図２に示すようにスピーカ１０に対して右側にオフセットされた位置に形成されることになる。
【００３１】
従って、前記ダクト１２は、スピーカ１０の音出部１０ａからの音声をオフセットされた音声通過孔１１に導く必要があり、このため前記ダクト１２は、スピーカ１０の音出部１０ａを包囲する音出部側開口１８の中心と音声通過孔側開口１９の中心とを結ぶダクト中心線２０がスピーカ１０の法線Ｓに対して左右方向に角度αで傾斜した形状となっている。
【００３２】
更に、前記ダクト１２には、前記表示側結合部９ａを避けるようになだらかに湾曲した曲面部２１が形成されている。従って、前記ダクト１２は、音出部側開口１８から音声通過孔側開口１９に向かって流路の左右幅がなだらかに減少しており、これによりダクト１２は音出部側開口１８から音声通過孔側開口１９に向かって断面積が漸減する。
【００３３】
一方、前記スピーカ１０は図１に示す如く表示側筐体７に対して傾斜して取り付けられており、このため前記ダクト１２は、前記音出部側開口１８の中心と音声通過孔側開口１９の中心とを結ぶダクト中心線２２がスピーカ１０の法線Ｓに対して前後方向（表示側筐体７の長手方向）に角度βで傾斜した形状となっている。
【００３４】
更に、前記ダクト１２には、前記キー側筐体８の端部との干渉を避けるように筐体７ａと共になだらかに湾曲した曲面部２３が形成されている。従って、前記ダクト１２は音出部側開口１８から音声通過孔側開口１９に向かって流路の前後幅もなだらかに減少しており、これによってもダクト１２は音出部側開口１８から音声通過孔側開口１９に向かって断面積が漸減する。
【００３５】
又、図１では前記音声通過孔側開口１９の前後壁を上下にずらして開口させており、これによって音声通過孔側開口１９に向かって断面積が漸減する前記ダクト１２の断面積が最小になる部分の断面積よりも、前記音声通過孔側開口１９の開口表面積が大きくなるようにしている。
【００３６】
図１に示した如く、前記音声通過孔側開口１９を、前記スピーカ１０の法線Ｓと直交する面（音出部１０ａの面）に対して傾斜させることによって大きな開口表面積としたが、同様に前記音声通過孔１１も前記スピーカ１０の法線Ｓと直交する面（音出部１０ａの面）に対して傾斜させることによって大きな開口表面積とすることができる。
【００３７】
前記ダクト１２と音声通過孔側筐体７ａとの間には第１弾性体２４を配置し、又、前記ダクト１２とスピーカ１０との間には第２弾性体２５を配置し、更に、前記スピーカ１０と前記音声通過孔側筐体７ａに対向する外側の筐体７ｂとの間には第３弾性体２６を配置している。前記第１、第２、第３弾性体２４，２５，２６はスポンジ或いはゴム等で形成することができ、前記筐体７ａと筐体７ｂを組み立てることにより、前記第１、第２、第３弾性体２４，２５，２６の少なくとも１つは圧縮されて変形するようになっている。
【００３８】
又、図４は前記ダクト１２にスピーカ１０を取り付けた状態の平面図、図５は図４のダクト１２の裏面図であり、前記ダクト１２は、前記スピーカ１０を支持する支持爪２７を有し、更に、導線２８をガイドするためのガイド部３０を上部に有し、且つ、前記ダクト１２の曲面部２１，２３の外側空間に導線２９を配置するようになっており、更に、筐体７ａの凸部３１（図６〜図８参照）に嵌合して位置決めを行うための位置決め孔３２等を有しており、従って前記ダクト１２はブラケットとしての機能を備えたものとなっている。図４、図５のようにダクト１２に沿って配置される導線２８，２９は、１つにまとめられて図６〜図８の結合部９を構成する導線孔３３を通してキー側筐体８に導かれるようになっている。尚、図６〜図８中、３４は外側の筐体７ｂの外部から読み取ることができるサブ表示部である。
【００３９】
次に、上記折畳型携帯電話を組み立てる手順を説明する。
【００４０】
図６は前記スピーカ１０が取り付けられたダクト１２と、導線２８，２９を筐体７ａへ取り付ける手順を示したものである。先ず、導線２９を筐体７ａの所定位置に沿って配置し、一端の接点２９’を図８に示す筐体７ａの所定箇所に接続し、他端は前記導線孔３３を通してキー側筐体８に導く。次に、スピーカ１０を取り付けたダクト１２を、図８の如く位置決め孔３２が筐体７ａの凸部３１に嵌合するように筐体７ａに装入して位置決めする。この時、前記した導線２９が図５のようにダクト１２の曲面部２１，２３の外側に沿うようにする。続いて、導線２８を図８の如く前記ダクト１２のガイド部３０に沿わせて配置し、一端の接点２８’を筐体７ａの所定箇所に接続し、他端は前記導線孔３３を通してキー側筐体８に導く。
【００４１】
図７は前記ダクト１２を筐体７ａに取り付ける際の手順を更に具体的に示したものである。先ず、ダクト１２に、第２弾性体２５を介してスピーカを取り付ける。そして上記ダクト１２を、第１弾性体２４を介して前記筐体７ａに取り付ける。この時、前記ダクト１２は音声通過孔側開口１９に向かって先すぼまりの形状を有しているので、ダクト１２を音声通過孔側筐体７ａに位置決めして取り付ける作業を容易に行うことができる。
【００４２】
前記ダクト１２が取り付けられた図８の状態において、音声通過孔側筐体７ａを結合部９によりキー側筐体８に連結し、又前記導線２８，２９の他端部をキー側筐体８側に導く。
【００４３】
次に、図７の第３弾性体２６を筐体７ｂのスピーカ１０に対応する位置に接着し、続いて、前記筐体７ｂを音声通過孔側筐体７ａに組み付けると、図１、図２の折畳型携帯電話が組み立てられる。
【００４４】
次に、上記図示例の作動を説明する。
【００４５】
上記折畳型携帯電話は、図１のように折畳んだ状態で机上に設置したとき、筐体７ａの張り出し部７ａ’と机との間に間隔が形成されるので、前記音声通過孔１１を通して発せられる警告音、着メロ等の音声を外部で聞くことができ、又、図１の状態から図３に示す如く、結合部９を中心に表示側筐体７を上方に開いたときにも、前記音声通過孔１１が上側を向くことにより音声通過孔１１からの音声を同様に聞くことができる。
【００４６】
上記折畳型携帯電話では、スピーカ１０の音声をダクト１２を介して音声通過孔１１に導くようにしているので、スピーカ１０の音出部１０ａと筐体７ａの音声通過孔１１との距離が離れたレイアウトにおいても容易に適用することができる。
【００４７】
更に、上記折畳型携帯電話では、スピーカ１０と結合部９を表示側筐体７の同一側端部に配置するために、図１に示す如く、表示側結合部９ａをスピーカ１０の下側に入り込ませることにより小型化した構造としてあり、このため音声通過孔１１はスピーカ１０に対して右側にオフセットされた配置となるが、この配置に対応するように、前記ダクト１２に、前記表示側結合部９ａを避けるようになだらかに湾曲した曲面部２１を形成している。
【００４８】
従って、前記ダクト１２は、音出部側開口１８から音声通過孔側開口１９に向かって左右方向に絞られて断面積が漸減した形状となり、この形状によって、音圧の低下が抑制されて音声通過孔側開口１９付近の音波の流速が高く維持され、音波の乱れが防止され、よって良好な音圧の保持・伝達性能が確保されるようになる。
【００４９】
又、前記ダクト１２は、図１に示す如く、キー側筐体８の端部との干渉を避けるために前後方向になだらかに湾曲した曲面部２３を形成しているので、この形状によっても、ダクト１２は音出部側開口１８から音声通過孔側開口１９に向かって断面積が漸減され、よって音圧の保持・伝達性能を更に向上させることができる。
【００５０】
一方、図１のように、前記音声通過孔側開口１９及び音声通過孔１１を、スピーカ１０の法線Ｓと直交する面（音出部１０ａの面）に対して傾斜させて開口表面積を大きくしているので、この開口表面積は、前記したように音声通過孔側開口１９に向かって断面積が漸減するダクト１２の断面積のうち最小断面積より大きくなり、よって音声通過孔１１からの音声の伝達性が高められるようになる。
【００５１】
更に、前記ダクト１２と音声通過孔側筐体７ａとの間には第１弾性体２４を有し、前記ダクト１２とスピーカ１０との間には第２弾性体２５を有し、前記スピーカ１０と前記音声通過孔側筐体７ａに対向する外側の筐体７ｂとの間には第３弾性体２６を有しており、且つ前記第１、第２、第３弾性体２４，２５，２６は、前記筐体７ｂと音声通過孔側筐体７ａの組み付けによって圧縮されて変形するようになっているので、組み付け時におけるスピーカ１０とダクト１２の厚さ方向の位置決めが容易になり、且つ横方向のズレも防止でき、ネジ止め等の工数も削減或いは省略できるので、組付作業性が大幅に簡略化される。
【００５２】
更に、前記第１、第２、第３弾性体２４，２５，２６によってスピーカ１０の音出部１０ａと音声通過孔１１との間が確実に密着してシールされるので、ダクト１２による音漏れを防止することができる。更に、第１、第２、第３弾性体２４，２５，２６の弾性によって、スピーカ１０の共振によるビビリ現象を防止することができると共に、落下時の衝撃も吸収できる。
【００５３】
又、前記したように、ダクト１２は音声通過孔側開口１９に向かって断面積が減少する先すぼまりの形状を有しており、且つ図１に示す如く、ダクト中心線２２がスピーカ１０の法線Ｓに対して角度βのように前後方向に傾斜した場合や、図２に示す如く、ダクト中心線２０がスピーカ１０の法線Ｓに対して角度αのように左右方向に傾斜した場合にも容易に対応できるので、スピーカ１０と音声通過孔１１の位置が変化する種々のレイアウトに容易に適用することができる。
【００５４】
又、前記ダクト１２は、前記スピーカ１０を筐体７ｂに固定するためのブラケットの働きを有しており、更にダクト１２には導線２８をガイドするガイド部３０を備え、更にダクト１２の外周と筐体との間に導線を配置するようにしているので、ダクト１２及び空間を有効活用して携帯端末の小型化を図ることができる。
【００５５】
尚、本発明は上述の図示例にのみ限定されるものではなく、折畳型携帯電話以外の携帯端末にも適用できること、ダクト等の形状は図示例のものに限定されないこと、その他、本発明の要旨を逸脱しない範囲内において種々変更を加え得ることは勿論である。
【図面の簡単な説明】
【００５６】
【図１】本発明を実施する形態の一例の側断面図である。
【図２】図１のＩＩ−ＩＩ矢視相当図である。
【図３】図１の携帯端末を開いた状態を示す斜視図である。
【図４】ダクトにスピーカを取り付けた状態の平面図である。
【図５】図４のダクトの裏面図である。
【図６】スピーカが取り付けられたダクトと導線を筐体へ取り付ける手順を示す説明図である。
【図７】ダクトを筐体に取り付ける際の手順を更に具体的に示した説明図である。
【図８】ダクトが取り付けられた筐体の平面図である。
【図９】従来例の正面図である。
【符号の説明】
【００５７】
７  表示側筐体
７ａ        筐体
７ｂ        筐体
８  キー側筐体
９  結合部
１０  スピーカ
１０ａ        音出部
１１  音声通過孔
１２  ダクト
１８  音出部側開口
１９  音声通過孔側開口
２０  ダクト中心線
２１  曲面部
２２  ダクト中心線
２３  曲面部
２４  第１弾性体
２５  第２弾性体
２６  第３弾性体
２８，２９    導線
３０  ガイド部
Ｓ    法線
【図１】
2006115272.tif 000003
【図２】
2006115272.tif 000004
【図３】
2006115272.tif 000005
【図４】
2006115272.tif 000006
【図５】
2006115272.tif 000007
【図６】
2006115272.tif 000008
【図７】
2006115272.tif 000009
【図８】
2006115272.tif 000010
【図９】
2006115272.tif 000011